(57)【要約】蓋体は、断面凹形把持部と把持部中央内側に設けたキャップ部とからなり、当該キャップ部周壁端面に螺子山と直交方向に設けた切欠部を有し、容器本体首基部には、前記キャップ部外周と同径の肉盛部を形成し、当該肉盛部に螺子山と直交方向に設けた切欠部を設け、キャップ部と容器本体首部との螺合完了時に、当該切欠部と前記キャップ部周壁端面の切欠部とが相当接し、かつ、把持部の一領域が、容器本体の決まった一領域に常に対応する密封容器の蓋体係止構造の提供。
2004007310.tif 000002
【特許請求の範囲】
【請求項１】
容器首部と螺合する蓋体を有する密封容器の蓋体係止構造であって、当該蓋体と容器が係合する部分に螺合の進行を停止させる手段を有する密封容器の蓋体係止構造。
【請求項２】
容器首部と螺合する蓋体を有する密封容器の蓋体係止構造であって、当該蓋体は、断面凹形把持部と把持部中央内側に設けたキャップ部とからなり、当該キャップ部周壁端面に螺子山と直交方向に設けた切欠部を有し、当該容器本体首基部には、前記キャップ部外周と同径の肉盛部を形成し、当該肉盛部に螺子山と直交方向に設けた切欠部を設け、キャップ部と容器本体首部との螺合完了時に、当該切欠部と前記キャップ部周壁端面の切欠部とが相当接し、かつ、把持部の一領域が、容器本体の決まった一領域に常に対応する密封容器の蓋体係止構造。
【請求項３】
容器首部と螺合する蓋体を有する密封容器の蓋体係止構造であって、当該蓋体は、断面凹形把持部と把持部中央内側に設けたキャップ部とからなり、容器首部に設けた雄螺子の容器開口部側先端が螺子山と直交方向に面を立てて雄螺子成形され、キャップ部に設けた雌螺子の上底部側先端溝を螺子山と直交方向に面を立てて雌螺子溝成形を終了した構造を有し、キャップ部と容器本体首部との螺合完了時に、前記雄螺子先端面と当該雌螺子終了面とが相当接し、かつ、把持部の一領域が、容器本体の決まった一領域に常に対応する密封容器の蓋体係止構造。
【請求項４】
合成樹脂製の容器本体と蓋体であって、蓋体は容器本体より硬質である請求項１乃至請求項３記載の密封容器の蓋体係止構造。
【請求項５】
前記キャップ部内側上底には容器開口部方向へ延設した先細りする傾斜を有する環状スカート部を有し、当該環状スカート部の外周が容器本体開口部内周に係合し、
キャップ部と容器本体首部との螺合完了時に、当該容器本体首部周壁が当該環状スカート部の傾斜に沿って半径外方向に撓変形し、シール係合する請求項１乃至請求項３記載の密封容器の蓋体係止構造。
【請求項６】
容器本体と容器本体首部に螺合する透明キャップと断面凹形把持部の蓋体とからなる密閉容器の蓋体係止構造であって、
蓋体は透明キャップと嵌合する嵌合孔を有し、かつ、
蓋体と容器本体とが係止する係止手段又は蓋体と透明キャップとが係止する係止手段のいずれか一の手段を有する蓋体係止構造。
【発明の詳細な説明】
【技術分野】  本発明は、容器本体とこれに螺合する蓋体とからなる容器の蓋体係止構造に関し、容器本体首基部肉盛切欠部とキャップ部外周の螺子山直交方向に設けた切欠部を相当接させることで、キャップ部と一体成形した蓋体の一領域を常に容器本体の決まった一領域に対応さることを可能とし、さらに、キャップ底部中央に設けた傾斜加工が施された環状スカート部により密封性を向上させた密封容器の蓋体係止構造に関するものである。
【背景技術】  従来、容器首部とキャップとが螺合するタイプの容器にあっては、単に雄螺子と雌螺子とを嵌合させるだけの構造を有するものが多い。さらに、安価に製造加工する目的、及び取扱いの容易さから、容器及びキャップ共々雄螺子、雌螺子が合成樹脂により成形されている。
しかしながら、上記のような容器においては、キャップの締め付けすぎ、あるいは締め付け不足は使用者の感覚に左右され、完全な螺合状態が常に得られるとは限らない。また、度重なる使用によって螺子山に摩耗を伴うことから、螺合に不具合が生じ、前述の事象は経年とともに一層顕著となる。
さらに、前述の理由から、容器本体に対して常にキャップの同じ一側面あるいは同じ領域を対応させるものとなっておらず、例えば、容器本体とキャップを一体と捉えたデザインを施そうとしても、両者の間にズレが生じることが多いことから、これまで別々にデザインが施されてきたり、キャップはデザインの対象から外されてきたりしてきた。
そこで、本発明は上記の問題点に鑑み、キャップの密封性を向上させるとともに、キャップと容器本体とを常に一定の領域で対応させ、使用者の感覚に依らずとも、完全な螺合状態を常に得ることができ、キャップの締め付け具合によるズレ、また経年の摩耗によるズレや不具合が生じない密封容器の蓋体係止構造を提供することを目的とする。
【発明の開示】
本発明の密封容器の蓋体係止構造は、当該蓋体と容器が係合する部分に螺合の進行を停止させる手段を有すること、また、本発明の密封容器の蓋体係止構造は、蓋体が、断面凹形把持部と把持部中央内側に設けたキャップ部とからなり、当該キャップ部周壁端面に螺子山と直交方向に設けた切欠部を有し、当該容器本体首基部には、前記キャップ部外周と同径の肉盛部を形成し、当該肉盛部に螺子山と直交方向に設けた切欠部を設け、キャップ部と容器本体首部との螺合完了時に、当該切欠部と前記キャップ部周壁端面の切欠部とが相当接し、かつ、把持部の一領域が、容器本体の決まった一領域に常に対応すること、また、本発明の密封容器の蓋体係止構造は、蓋体が、断面凹形把持部と把持部中央内側に設けたキャップ部とからなり、容器首部に設けた雄螺子の容器開口部側先端が螺子山と直交方向に面を立てて雄螺子成形され、キャップ部に設けた雌螺子の上底部側先端溝を螺子山と直交方向に面を立てて雌螺子溝成形を終了した構造を有しキャップ部と容器本体首部との螺合完了時に、前記雄螺子先端面と当該雌螺子終了面とが相当接し、かつ、把持部の一領域が、容器本体の決まった一領域に常に対応すること、また、本発明の密封容器の蓋体係止構造は、請求項１乃至請求項３記載の構成において、合成樹脂製の容器本体と蓋体であって、蓋体は容器本体より硬質であること、また、本発明の密封容器の蓋体係止構造は、請求項１乃至請求項３記載の構成において、キャップ部内側上底には容器開口部方向へ延設した先細りする傾斜を有する環状スカート部を有し、当該環状スカート部の外周が容器本体開口部内周に係合し、キャップ部と容器本体首部との螺合完了時に、当該容器本体首部周壁が当該環状スカート部の傾斜に沿って半径外方向に撓変形し、シール係合すること、また、本発明の密封容器の蓋体係止構造は、容器本体と容器本体首部に螺合する透明キャップと断面凹形把持部の蓋体とからなる密閉容器の蓋体係止構造であって、蓋体は透明キャップと嵌合する嵌合孔を有し、かつ、蓋体と容器本体とが係止する係止手段又は蓋体と透明キャップとが係止する係止手段のいずれか一の手段を有することを要旨とする。
【図面の簡単な説明】  第１図は、本発明の密封容器の蓋体係止構造有する容器の全体参考図であり、第２図は、蓋体の構造を示した拡大斜視図であり、第３図は、螺合完了した蓋体と容器首部の端面図であり、第４図は、容器本体首部を示す一部省略斜視図であり、第５図は、第二の実施例を示す蓋体係止構造を示す斜視図であり、第６図は、第三の実施例を示す蓋体係止構造説明略図であり、第７図は、第四の実施例を示す蓋体係止構造説明略図であり、第８図は、第五の実施例を示す蓋体係止構造説明略図である。
【発明を実施するための最良の形態】  本発明の密封容器の蓋体係止構造を有する密封容器は、断面凹形把持部が把持部中央内側に設けられたキャップ部と一体成形された蓋体と、首部に開口部を有する容器本体とからなる密封容器であって、その構成材料は、ポリスチレン、ポリエチレン、ポリプロピレン、ポリ塩化ビニルなどの熱可塑性樹脂やフェノール樹脂などの熱硬化性樹脂その他の合成プラスチックを材料とし、蓋体は容器本体より硬質に成形されているが、逆に容器本体を蓋体より硬質に成形してもよい。そしてこれらの成形は射出成形、中空成形、真空成形、圧縮成形その他の周知の成形法による。また、内容物の種類に応じて、本願の特徴を損なわないものであれば、前記材料に限らず他の材料によっても良い。さらに、必要に応じて、容器本体あるいは蓋体を透明としてもよい。
第１図及び第３図に示すように、本発明の密封容器の蓋体係止構造を有する密封容器の蓋体（２）は、断面凹形状の把持部（３）と、当該把持部中央内側に設けた、内周に雌螺子（１１）を有するキャップ部（４）とを一体成形した構造を有する。また、第２図に示すように、補強のためさらに前記把持部内壁とキャップ部とを支持片（７）により支持する構造としてもよい。そして、当該キャップ部周壁端面には、螺子山と直交方向に設けた切欠部（６）を形成する。
容器本体首部（９）には前記キャップ部雌螺子と螺合する雄螺子（１０）を設け、かつ、当該容器本体首基部には、前記キャップ部外周と同外径の肉盛部（１２）を形成し、当該肉盛部に螺子山と直交方向に設けた切欠部（１３）を形成し、当該切欠部（１３）と前記切欠部（６）とが相当接することでキャップ部と容器本体首部との螺合がその位置で停止される。
なお、螺子山と直交方向に設けた、とは図４に示すように容器開口部の中心を通る軸（Ｐ）を含む面で切り欠く意である。
また、蓋体と容器首部との螺合の進行を停止させる手段としては、上記の他、雄螺子と雌螺子を面で相当接させることも考えられる。
つまり、雄螺子の開口部側先端を螺子山と直交方向に面を立てて雄螺子成形し、かつ、キャップ部に設けた雌螺子の上底部側先端溝を螺子山と直交方向に面を立てて雌螺子溝を終了させ、キャップ部と容器本体首部との螺合完了時に、前記雄螺子先端面と当該雌螺子終了面とが相当接する構造である。
なお、前述の螺子山と直交方向に設けた、とは図４に示すように容器開口部の中心を通る軸（Ｐ）を含む面で切り欠く意である。
また、キャップ部内側上底には容器開口部方向へ延設した先細りする傾斜（１４）を有する環状スカート部（８）を有し、当該傾斜に容器本体首部先端内周が係合し、キャップ部と容器本体首部との螺合完了時には、当該容器本体首部周壁に半径外方向への力が加わり、シール係合する。この際、容器本体は蓋体より軟質な材料により成形しているため、首部周壁先端部は第３図に示すように、若干半径外方向へ変形する。
なお、容器本体の形状は、後述の実施例に掲げる形状に限られず、本願の特徴を有したものであれば、その他の立体形状としてよい。
また、第７図、第８図に示すように、前記凹部（３）とキャップ部（４）とを別体に構成し、蓋体（２ａ）と透明キャップ（４ａ）として構成し、蓋体（２ａ）に当該キャップ（４ａ）と嵌合する嵌合孔（１８）を設け、かつ、蓋体（２ａ）と容器本体（１）とが係止する係止手段（１９）（２０）（２１）（２２）、或いは蓋体（２ａ）と当該キャップ（４ａ）とが係止する係止手段（２３）（２４）のいずれか一の組み合わせに係る係止手段を有する構成としてもよい。
【実施例１】  いかに、本発明の密閉容器の蓋体係止構造の第一の実施例を第１図〜第５図を参照して説明する。
第１図は本発明の密封容器の蓋体係止構造有する容器の全体参考図、第２図は蓋体の構造を示した拡大斜視図、第３図は螺合完了した蓋体と容器首部の端面図、第４図は容器本体首部を示す一部省略斜視図である。なお、第２図中、雌螺子を、また、第４図中、雄螺子、雌螺子、把持部を省略して図示している。（１）は容器、（２）は蓋体、（３）は把持部、（４）はキャップ部、（５）は容器本体、（６）はキャップ部周壁に設けた切欠部、（７）は支持片、（８）は環状スカート部、（９）は容器本体首部、（１０）は雄螺子、（１１）は雌螺子、（１２）は肉盛部、１３は肉盛部に設けた切欠部、（１４）は環状スカート部の外側傾斜である。
本実施例における密閉容器（１）は第１図に示したように、首部（９）を有する直方体の容器本体（５）と、当該容器本体の形状と外径に合わせた蓋体（２）とから構成される。
第１図及び第３図に示すように、本発明の密封容器の蓋体係止構造を有する密封容器の蓋体（２）は、断面凹形状の把持部（３）と当該把持部中央内側に設けたキャップ部（４）とからなり、当該キャップ部内周には雌螺子（１１）が形成され、キャップ部周壁の端面には、螺子山と直交方向に切欠部（６）が形成されている。さらに、第２図に示すように、補強のために把持部内壁とキャップ部とを支持片（７）により支持する構造とする。
一方、容器本体（５）の首部（９）には雄螺子（１０）が設けられ、当該容器本体の首基部には、前記キャップ部外周と同外径の肉盛部（１２）を形成するとともに、当該肉盛部に螺子山と直交方向に設けた切欠部（１３）を形成する。
本実施例における密閉容器（１）は、１辺５５ｍｍ、全長１４０ｍｍを有し、その内蓋体の高さは３０ｍｍである。
材質は容器本体（５）がポリエチレン、蓋体（２）はポリスチレンによりそれぞれ成形され、蓋体（２）は容器本体（５）より硬質である。なお、材質は本願の特徴を損なわないものであればその他の合成樹脂等を材料としても良い。
把持部（３）を手掛かりに、容器本体首部（９）の雄螺子（１０）キャップ部（４）内周に設けた雌螺子（１１）に嵌合させ、さらに螺合を進めるが、図５（ａ）から図５（ｂ）に示すように、キャップ部周壁端面の切欠部（６）が、容器本体首基部肉盛部（１２）の螺子山と直交方向に設けた切欠部（１３）と相当接した時点で螺合が完了する。
容器本体は蓋体より軟質な材料により成形しているため、第３図に示すように、容器本体首部先端の内壁が螺合を進めるとともに環状スカート部（８）に嵌合し、当該先端が環状スカート部（８）の外側傾斜（１４）に沿って半径外側方向に若干変形し、シール係合することでより一層密封性を高めることができる。
以上のことから、本発明を利用すれば、容器の密封性を高めることができるだけでなく、つまり、キャップ部周壁端面の切欠部（６）と容器本体首基部肉盛部（１２）の切欠部（１３）とが相当接した時点が螺合完了時点であることから、閉蓋操作が使用者の感覚に依らずに容易に確実となり、合成樹脂を材料とした容器であっても、永年使用に伴う螺子山の摩耗による螺合の不具合が生じることなく、また、螺合完了時に蓋体の一側面が容器本体の一側面とズレることなく常に面一に対応することから蓋体と容器本体とを一体と捉えたデザインを施すことが可能となる。
さらに、キャップ部に設けた切欠部（６）、及び容器本体首基部肉盛部に設けた切欠部（１３）の位置を、容器本体正面と決定したい側面中央部近傍に定めておけば、容器本体（５）と蓋体（２）とが別々になっていても、正面がどの側面であるか夫々一目瞭然となり、取扱いに便利である。
【実施例２】  本発明の第二の実施例を第５図を参照しながら説明する。
図５は第二の実施例を示す蓋体係止構造を示す斜視図であり、雄螺子、雌螺子は省略して図示している。（１５）は嵌合溝を示し、その他図中に示す数字は第一の実施例と同様に対応するものである。
本実施例における容器本体（５）は円柱状体であり、当該形状及び外径に合わせて、キャップ部（４）と一体成形された把持部（３）が形成されている。また、容器本体頂上部にキャップ（４）の周壁に合わせて円形の嵌合溝（１５）を容器本体首部（９）の周囲に設け、さらに当該嵌合溝に螺旋状底部を成形し、図示するように一端には鋭角に切欠部（１３）を設けた。
キャップ部（４）の周壁端部は、上記切欠部（１３）の形状に合わせて切欠部（６）が鋭角に成形され、かつ、嵌合溝（１５）の螺旋状溝底部の形状に合わせて成形されている。
その他、環状スカート部、雄螺子、雌螺子等については図示しないが、これらの構成及び構造は第一の実施例と同様である。
本実施例に示す構造にあっても、閉蓋操作の確実性及び把持部の一領域と容器本体の一領域が常に対応するといった効果は、第一の実施例と同様に得られるものである。また、前述の第一の実施例においては、直角に面を立てた両切欠部であるが、本実施例のように鋭角に成形することで、螺合がより確実に完了する。
そして、本実施例により蓋体と容器本体との螺合が完了した場合には、切欠部が嵌合溝（１５）内に納まるため、把持部（３）を透明とした場合にはすっきりとしたデザインとなる。
【実施例３】  本発明の第三の実施例を図６を参照しながら説明する。
第６図は第三の実施例を示す蓋体係止構造説明略図である。（１６）は雄螺子の容器開口部側先端面、（１７）は雌螺子の上底部側先端溝面であり、その他図中に示す数字は第一の実施例と同様に対応するものである。なお、第６図は（１６）（１７）の構造と形状を示す略図であるため、一部の雄螺子、雌螺子は省略している。
雄螺子の開口部側先端（１６）を螺子山と直交方向に面を立てて雄螺子成形し、かつ、キャップ部に設けた雌螺子の上底部側先端溝を螺子山と直交方向に面を立てて雌螺子溝を終了させる。かかる構造により、容器本体首部（９）の雄螺子（１０）の先端をキャップ部（４）の雌螺子溝に嵌合させ、螺合を進め、最終的に雄螺子の容器開口部側先端面（１６）が雌螺子の上底部側先端溝面（１７）に当接した時点で螺合が完了する。
雄螺子先端面（１６）、雌螺子先端溝面（１７）を設ける位置を予め決まった側面に対応させておけば、螺合完了時には常に把持部の一領域と容器本体の決まった一領域に対応させることが可能となる。
また、キャップ部の環状スカート部を本実施例に示す構造と合わせて設けることで、密封性を高めることができる。
【実施例４】  本発明の第四の実施例を第７図を参照しながら説明する。
第７図は、第四の実施例を示す蓋体係止構造説明略図である。なお、第７図の最下段の図は、蓋体（２ａ）と容器本体（１）との係止状態を示す略図であるため、容器首部をはじめ、雄螺子、雌螺子は省略している。（２ａ）は蓋体、（４ａ）は透明キャップ、（１８）は嵌合孔、（１９）は蓋体（２ａ）に設けた係止凸部、（２０）は蓋体（２ａ）に設けた係止凹部、（２１）は容器（１）に設けた係止凸部、（２２）は容器（１）に設けた係止凹部、その他、図中に示す数字は第一の実施例と同様に対応するものである。
本実施例においては、蓋体（２ａ）と透明キャップ（４ａ）とを別体に構成し、蓋体（２ａ）に当該透明キャップ（４ａ）と嵌合する嵌合孔（１０）を設け、かつ、蓋体（３ａ）と容器本体（１）とが係止する係止手段を有する。
容器首部に透明キャップ（４ａ）を螺合し、その後、蓋体（２ａ）と容器本体（１）を、蓋体（２ａ）に設けた係止凸部（１９）と容器本体（１）に設けた係止凹部（２２）を、また、蓋体（２ａ）に設けた係止凹部（２０）と容器本体（１）に設けた係止凸部（２１）を夫々係止させるものである。第７図の最下段の図は容器本体（１）と透明キャップ（４ａ）、蓋体（２ａ）の嵌合状態を示す断面略図であるが、当該図に示すように、透明キャップ（４ａ）と蓋体（２ａ）とは面一になるように構成されている。
なお、容器側の係止手段（２１）（２２）は第７図の中段の図に示すように一部に設けるものの他、周囲に設ける態様でも構わない。
本実施例による構成によれば、透明キャップが蓋体によりカバーされていることから緩む可能性は少なく、また、キャップが透明であるため、内容物の混合状態をキャップを空けることなく容易に確認でき、さらに、係止手段により蓋体と容器本体との係合が確実となり好ましい。
【実施例５】  本発明の第五の実施例を第８図を参照しながら説明する。
第８図は、第五の実施例を示す蓋体係止構造説明略図である。なお、第８図の最下段の図は、蓋体（２ａ）と透明キャップ（４ａ）との係止状態を示す略図であるため、容器首部をはじめ、雄螺子、雌螺子は省略している。（２３）は蓋体（２ａ）に設けた係止凸部、（２４）は透明キャップ（４ａ）に設けた係止凹部、その他、図中に示す数字は先の実施例と同様に対応するものである。
本実施例は、第四の実施例のバリエーションの発明に係るものであり、第８図の最上段の図に示すように、嵌合孔（１８）に幅を持たせ、当該嵌合孔（１８）側壁に係止凸部（２３）を４箇所設け、図８の中段の図に示すように、当該係止凸部（２３）に対応させて透明キャップ（４ａ）に係止凹部（２４）を設けてなるものである。なお、図８の最下段の図に示すように、本実施例においても、透明キャップ（４ａ）と蓋体（２ａ）とは面一になるように構成されている。
本実施例による構成によっても、内容物の混合状態をキャップを空けることなく容易に確認でき、さらに、蓋体と透明キャップとが係合することから、容器本体（１）への特別な加工が不要である。
【産業上の利用可能性】  以上のように、本発明によれば、密封性を高めつつ、容器本体側及びキャップ部に形成した両切欠部が相当接することにより閉蓋操作の完了を正確、かつ容易に認識でき、合成樹脂製の容器でも、永年使用に伴う螺子山の摩耗による螺合の不具合を生じることがない。
また、螺合完了時に蓋体の一側面あるいは一領域と、容器本体の一側面あるいは一領域とがズレることなく、常に面一に対応することから、蓋体と容器本体とを一体と捉えたデザインを施すことが可能となる。
さらに、蓋体と容器本体、あるいは蓋体とキャップとが係合手段により、迅速、かつ、確実に係合することから当該容器の取り扱いが容易であり、好ましい。
【図１】
2004007310.tif 000003
【図２】
2004007310.tif 000004
【図３】
2004007310.tif 000005
【図４】
2004007310.tif 000006
【図５】
2004007310.tif 000007
【図６】
2004007310.tif 000008
【図７】
2004007310.tif 000009
【図８】
2004007310.tif 000010
【手続補正書】
【提出日】平成15年2月6日(2003.2.6)
【手続補正００１】
【補正対象書類名】特許請求の範囲
【補正対象項目名】特許請求の範囲
【補正方法】変更
【補正の内容】
【特許請求の範囲】
【請求項１】
（削除）
【請求項２】
（補正後）容器首部と螺合する蓋体を有する密封容器の蓋体係止構造であって、当該蓋体は、断面凹形把持部と把持部中央内側に設けたキャップ部とからなり、
当該キャップ部周壁端面に螺子山と直交方向に設けた切欠部を有し、当該容器本体首基部には、前記キャップ部外周と同径の肉盛部を形成し、当該肉盛部に螺子山と直交方向に設けた切欠部を設け、キャップ部と容器本体首部との螺合完了時に、当該切欠部と前記キャップ部周壁端面の切欠部とが相当接する構造、若しくは、
容器本体頂上部にキャップの周壁に合わせて円形の嵌合溝を容器本体首部の周囲に設け、さらに当該嵌合溝に螺旋状底部を形成し、一端に鋭角に切欠部を設け、キャップ部の周壁端部は、当該切欠部に合わせて鋭角に切欠部を成形され、かつ、嵌合溝の螺旋状溝底部の形状に合わせて成形された構造の、
いずれか一の構造を有し、
さらに両構造においては把持部内壁とキャップ部とを支持片により補強した構造とし、
閉蓋時に把持部の一領域が、容器本体の決まった一領域に常に対応する密封容器の蓋体係止構造。
【請求項３】
（補正後）容器首部と螺合する蓋体を有する密封容器の蓋体係止構造であって、当該蓋体は、断面凹形把持部と把持部中央内側に設けたキャップ部とからなり、
容器首部に設けた雄螺子の容器開口部側先端が螺子山と直交方向に面を立てて雄螺子成形され、キャップ部に設けた雌螺子の上底部側先端溝を螺子山と直交方向に面を立てて雌螺子溝成形を終了した構造を有し、キャップ部と容器本体首部との螺合完了時に、前記雄螺子先端面と当該雌螺子終了面とが相当接し、かつ、
前記キャップ部内側上底には容器開口部方向へ延設した先細りする傾斜を有する環状スカート部を有し、当該環状スカート部の外周が容器本体開口部内周に係合し、
キャップ部と容器本体首部との螺合完了時に、当該容器本体首部周壁が当該環状スカート部の傾斜に沿って半径外方向に撓変形し、シール係合することを特徴とし、
さらに把持部の一領域が、容器本体の決まった一領域に常に対応する密封容器の蓋体係止構造。
【請求項４】
（削除）
【請求項５】
（補正後）前記キャップ部内側上底には容器開口部方向へ延設した先細りする傾斜を有する環状スカート部を有し、当該環状スカート部の外周が容器本体開口部内周に係合し、
キャップ部と容器本体首部との螺合完了時に、当該容器本体首部周壁が当該環状スカート部の傾斜に沿って半径外方向に撓変形し、シール係合する請求項１記載の密封容器の蓋体係止構造。
【請求項６】
（補正後）容器本体と容器本体首部に螺合する透明キャップと断面凹形把持部の蓋体とからなる密閉容器の蓋体係止構造であって、
蓋体は透明キャップと嵌合する嵌合孔を有し、かつ、
蓋体と容器本体とが係止する係止手段を有する蓋体係止構造。
【手続補正書】
【提出日】平成15年8月1日(2003.8.1)
【手続補正００１】
【補正対象書類名】特許請求の範囲
【補正対象項目名】全文
【補正方法】変更
【補正の内容】
【特許請求の範囲】
【請求項１】
（削除）
【請求項２】
容器首部と螺合する蓋体を有する密封容器の蓋体係止構造であって、当該蓋体は、断面凹形把持部と把持部中央内側に設けたキャップ部とからなり、
また、当該蓋体は容器本体より硬質であって、
当該キャップ部周壁端面に螺子山と直交方向に設けた切欠部を有し、当該容器本体首基部には、前記キャップ部外周と同径の肉盛部を形成し、当該肉盛部に螺子山と直交方向に設けた切欠部を設け、キャップ部と容器本体首部との螺合完了時に、当該切欠部と前記キャップ部周壁端面の切欠部とが相当接する構造を有し、
さらに、
前記キャップ部内側上底には容器開口部方向へ延設した先細りする傾斜を有する環状スカート部を有し、当該環状スカート部の外周が容器本体開口部内周に係合し、
キャップ部と容器本体首部との螺合完了時に、当該容器本体首部周壁が当該環状スカート部の傾斜に沿って半径外方向に撓変形し、シール係合することを特徴とし、
かつ、
前記把持部内壁とキャップ部とを支持片により補強した構造とし、
閉蓋時に把持部の一領域が、容器本体の決まった一領域に常に対応する
密封容器の蓋体係止構造。
【請求項３】
（削除）
【請求項４】
（削除）
【請求項５】
（削除）
【請求項６】
容器本体と容器本体首部に螺合する透明キャップと断面凹形把持部の蓋体とからなる密閉容器の蓋体係止構造であって、
また、当該蓋体は容器本体より硬質であって、
蓋体は透明キャップと嵌合する嵌合孔を有し、かつ、
蓋体と容器本体とが係止する係止手段を有する蓋体係止構造。
【請求項７】
容器首部と螺合する蓋体を有する密封容器の蓋体係止構造であって、当該蓋体は、断面凹形把持部と把持部中央内側に設けたキャップ部とからなり、
また、当該蓋体は容器本体より硬質であって、
容器本体頂上部にキャップの周壁に合わせて円形の嵌合溝を容器本体首部の周囲に設け、さらに当該嵌合溝に螺旋状底部を形成し、一端に鋭角に切欠部を設け、キャップ部の周壁端部は、当該切欠部に合わせて鋭角に切欠部を成形され、かつ、嵌合溝の螺旋状溝底部の形状に合わせて成形された構造を有し、
さらに、
前記キャップ部内側上底には容器開口部方向へ延設した先細りする傾斜を有する環状スカート部を有し、当該環状スカート部の外周が容器本体開口部内周に係合し、
キャップ部と容器本体首部との螺合完了時に、当該容器本体首部周壁が当該環状スカート部の傾斜に沿って半径外方向に撓変形し、シール係合することを特徴とし、
かつ、
前記把持部内壁とキャップ部とを支持片により補強した構造とし、
閉蓋時に把持部の一領域が、容器本体の決まった一領域に常に対応する
密封容器の蓋体係止構造。
【手続補正００２】
【補正対象書類名】明細書
【補正対象項目名】０００４
【補正方法】変更
【補正の内容】
【０００４】
盛部（１２）を形成し、当該肉盛部に螺子山と直交方向に設けた切欠部（１３）を形成し、当該切欠部（１３）と前記切欠部（６）とが相当接することでキャップ部と容器本体首部との螺合がその位置で停止される。
なお、螺子山と直交方向に設けた、とは第４図に示すように容器開口部の中心を通る軸（Ｐ）を含む面で切り欠く意である。
また、蓋体と容器首部との螺合の進行を停止させる手段としては、上記の他、雄螺子と雌螺子を面で相当接させることも考えられる。
つまり、雄螺子の開口部側先端を螺子山と直交方向に面を立てて雄螺子成形し、かつ、キャップ部に設けた雌螺子の上底部側先端溝を螺子山と直交方向に面を立てて雌螺子溝を終了させ、キャップ部と容器本体首部との螺合完了時に、前記雄螺子先端面と当該雌螺子終了面とが相当接する構造である。
なお、前述の螺子山と直交方向に設けた、とは第４図に示すように容器開口部の中心を通る軸（Ｐ）を含む面で切り欠く意である。
また、キャップ部内側上底には容器開口部方向へ延設した先細りする傾斜（１４）を有する環状スカート部（８）を有し、当該傾斜に容器本体首部先端内周が係合し、キャップ部と容器本体首部との螺合完了時には、当該容器本体首部周壁に半径外方向への力が加わり、シール係合する。この際、容器本体は蓋体より軟質な材料により成形しているため、首部周壁先端部は第３図に示すように、若干半径外方向へ変形する。
なお、容器本体の形状は、後述の実施例に掲げる形状に限られず、本願の特徴を有したものであれば、その他の立体形状としてよい。
また、第７図、第８図に示すように、前記凹部（３）とキャップ部（４）とを別体に構成し、蓋体（２ａ）と透明キャップ（４ａ）として構成し、蓋体（２ａ）に当該キャップ（４ａ）と嵌合する嵌合孔（１８）を設け、かつ、蓋体（２ａ）と容器本体（１）とが係止する係止手段（１９）（２０）（２１）（２２）、或いは蓋体（２ａ）と当該キャップ（４ａ）とが係止する係止手段（２３）（２４）のいずれか一の組み合わせに係る係止手段を有する構成としてもよい。


【手続補正００３】
【補正対象書類名】明細書
【補正対象項目名】０００５
【補正方法】変更
【補正の内容】
【０００５】
実施例１
以下に、本発明の密閉容器の蓋体係止構造の第一の実施例を第１図〜第４図を参照して説明する。
第１図は本発明の密封容器の蓋体係止構造有する容器の全体参考図、第２図は蓋体の構造を示した拡大斜視図、第３図は螺合完了した蓋体と容器首部の端面図、第４図は容器本体首部を示す一部省略斜視図である。なお、第２図中、雌螺子を、また、第４図中、雄螺子、雌螺子、把持部を省略して図示している。（１）は容器、（２）は蓋体、（３）は把持部、（４）はキャップ部、（５）は容器本体、（６）はキャップ部周壁に設けた切欠部、（７）は支持片、（８）は環状スカート部、（９）は容器本体首部、（１０）は雄螺子、（１１）は雌螺子、（１２）は肉盛部、（１３）は肉盛部に設けた切欠部、（１４）は環状スカート部の外側傾斜である。
本実施例における密閉容器（１）は第１図に示したように、首部（９）を有する直方体の容器本体（５）と、当該容器本体の形状と外径に合わせた蓋体（２）とから構成される。
第１図及び第３図に示すように、本発明の密封容器の蓋体係止構造を有する密封容器の蓋体（２）は、断面凹形状の把持部（３）と当該把持部中央内側に設けたキャップ部（４）とからなり、当該キャップ部内周には雌螺子（１１）が形成され、キャップ部周壁の端面には、螺子山と直交方向に切欠部（６）が形成されている。さらに、第２図に示すように、補強のために把持部内壁とキャップ部とを支持片（７）により支持する構造とする。
一方、容器本体（５）の首部（９）には雄螺子（１０）が設けられ、当該容器本体の首基部には、前記キャップ部外周と同外径の肉盛部（１２）を形成するとともに、当該肉盛部に螺子山と直交方向に設けた切欠部（１３）を形成する。
本実施例における密閉容器（１）は、１辺５５ｍｍ、全長１４０ｍｍを有し、その内蓋体の高さは３０ｍｍである。
材質は容器本体（５）がポリエチレン、蓋体（２）はポリスチレンによりそれぞれ成形され、蓋体（２）は容器本体（５）より硬質である。なお、材


【手続補正００４】
【補正対象書類名】明細書
【補正対象項目名】０００６
【補正方法】変更
【補正の内容】
【０００６】
質は本願の特徴を損なわないものであればその他の合成樹脂等を材料としても良い。
把持部（３）を手掛かりに、容器本体首部（９）の雄螺子（１０）キャップ部（４）内周に設けた雌螺子（１１）に嵌合させ、さらに螺合を進めるが、第４図に示すように、キャップ部周壁端面の切欠部（６）が、容器本体首基部肉盛部（１２）の螺子山と直交方向に設けた切欠部（１３）と相当接した時点で螺合が完了する。
容器本体は蓋体より軟質な材料により成形しているため、第３図に示すように、容器本体首部先端の内壁が螺合を進めるとともに環状スカート部（８）に嵌合し、当該先端が環状スカート部（８）の外側傾斜（１４）に沿って半径外側方向に若干変形し、シール係合することでより一層密封性を高めることができる。
以上のことから、本発明を利用すれば、容器の密封性を高めることができるだけでなく、つまり、キャップ部周壁端面の切欠部（６）と容器本体首基部肉盛部（１２）の切欠部（１３）とが相当接した時点が螺合完了時点であることから、閉蓋操作が使用者の感覚に依らずに容易に確実となり、合成樹脂を材料とした容器であっても、永年使用に伴う螺子山の摩耗による螺合の不具合が生じることなく、また、螺合完了時に蓋体の一側面が容器本体の一側面とズレることなく常に面一に対応することから蓋体と容器本体とを一体と捉えたデザインを施すことが可能となる。
さらに、キャップ部に設けた切欠部（６）、及び容器本体首基部肉盛部に設けた切欠部（１３）の位置を、容器本体正面と決定したい側面中央部近傍に定めておけば、容器本体（５）と蓋体（２）とが別々になっていても、正面がどの側面であるか夫々一目瞭然となり、取扱いに便利である。
実施例２
本発明の第二の実施例を第５図を参照しながら説明する。
第５図は第二の実施例を示す蓋体係止構造を示す斜視図であり、雄螺子、雌螺子は省略して図示している。（１５）は嵌合溝を示し、その他図中に示す


【手続補正００５】
【補正対象書類名】明細書
【補正対象項目名】０００７
【補正方法】変更
【補正の内容】
【０００７】
数字は第一の実施例と同様に対応するものである。
本実施例における容器本体（５）は円柱状体であり、当該形状及び外径に合わせて、キャップ部（４）と一体成形された把持部（３）が形成されている。また、容器本体頂上部にキャップ（４）の周壁に合わせて円形の嵌合溝（１５）を容器本体首部（９）の周囲に設け、さらに当該嵌合溝に螺旋状底部を成形し、図示するように一端には鋭角に切欠部（１３）を設けた。
キャップ部（４）の周壁端部は、上記切欠部（１３）の形状に合わせて切欠部（６）が鋭角に成形され、かつ、嵌合溝（１５）の螺旋状溝底部の形状に合わせて成形されている。
その他、環状スカート部、雄螺子、雌螺子等については図示しないが、これらの構成及び構造は第一の実施例と同様である。
本実施例に示す構造にあっても、閉蓋操作の確実性及び把持部の一領域と容器本体の一領域が常に対応するといった効果は、第一の実施例と同様に得られるものである。また、前述の第一の実施例においては、直角に面を立てた両切欠部であるが、本実施例のように鋭角に成形することで、螺合がより確実に完了する。
そして、本実施例により蓋体と容器本体との螺合が完了した場合には、切欠部が嵌合溝（１５）内に納まるため、把持部（３）を透明とした場合にはすっきりとしたデザインとなる。
実施例３
本発明の第三の実施例を第６図を参照しながら説明する。
第６図は第三の実施例を示す蓋体係止構造説明略図である。（１６）は雄螺子の容器開口部側先端面、（１７）は雌螺子の上底部側先端溝面であり、その他図中に示す数字は第一の実施例と同様に対応するものである。なお、第６図は（１６）（１７）の構造と形状を示す略図であるため、一部の雄螺子、雌螺子は省略している。
雄螺子の開口部側先端（１６）を螺子山と直交方向に面を立てて雄螺子成形し、かつ、キャップ部に設けた雌螺子の上底部側先端溝を螺子山と直交方


【手続補正００６】
【補正対象書類名】明細書
【補正対象項目名】０００９
【補正方法】変更
【補正の内容】
【０００９】
ａ）と蓋体（２ａ）とは面一になるように構成されている。
なお、容器側の係止手段（２１）（２２）は第７図の中段の図に示すように一部に設けるものの他、周囲に設ける態様でも構わない。
本実施例による構成によれば、透明キャップが蓋体によりカバーされていることから緩む可能性は少なく、また、キャップが透明であるため、内容物の混合状態をキャップを空けることなく容易に確認でき、さらに、係止手段により蓋体と容器本体との係合が確実となり好ましい。
実施例５
本発明の第五の実施例を第８図を参照しながら説明する。
第８図は、第五の実施例を示す蓋体係止構造説明略図である。なお、第８図の最下段の図は、蓋体（２ａ）と透明キャップ（４ａ）との係止状態を示す略図であるため、容器首部をはじめ、雄螺子、雌螺子は省略している。（２３）は蓋体（２ａ）に設けた係止凸部、（２４）は透明キャップ（４ａ）に設けた係止凹部、その他、図中に示す数字は先の実施例と同様に対応するものである。
本実施例は、第四の実施例のバリエーションの発明に係るものであり、第８図の最上段の図に示すように、嵌合孔（１８）に幅を持たせ、当該嵌合孔（１８）側壁に係止凸部（２３）を４箇所設け、第８図の中段の図に示すように、当該係止凸部（２３）に対応させて透明キャップ（４ａ）に係止凹部（２４）を設けてなるものである。なお、第８図の最下段の図に示すように、本実施例においても、透明キャップ（４ａ）と蓋体（２ａ）とは面一になるように構成されている。
本実施例による構成によっても、内容物の混合状態をキャップを空けることなく容易に確認でき、さらに、蓋体と透明キャップとが係合することから、容器本体（１）への特別な加工が不要である。
産業上の利用可能性
以上のように、本発明によれば、密封性を高めつつ、容器本体側及びキャ




【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
容器首部と螺合する蓋体を有する密封容器の蓋体係止構造であって、
当該蓋体は、透明の断面凹形把持部と把持部中央内側に設けたキャップ部とからなり、
また、当該蓋体は容器本体より硬質であって、
容器本体頂上部にキャップの周壁に合わせて円形の嵌合溝を容器本体首部の周囲に設け、
さらに当該嵌合溝に螺旋状底部を形成し、一端に鋭角に切欠部を設け、
キャップ部の周壁端部は、当該切欠部に合わせて鋭角に切欠部を成形され、かつ、嵌合溝の螺旋状溝底部の形状に合わせて成形された構造を有し、
さらに、
前記キャップ部内側上底には容器開口部方向へ延設した先細りする傾斜を有する環状スカート部を有し、
当該環状スカート部の外周が容器本体開口部内周に係合し、当該容器本体首部周壁が当該環状スカート部の傾斜に沿って半径外方向に撓変形し、シール係合するとともに、該キャップ部の周壁端部に成形される切欠部が、該嵌合溝内に納まって、該嵌合溝に設けられる切欠部と当接して、該キャップ部と該容器本体首部との螺合が完了されることを特徴とし、
かつ、前記把持部内壁とキャップ部とを支持片により補強した構造とし、
閉蓋時に把持部の一領域が、容器本体の決まった一領域に常に対応する密封容器の蓋体係止構造。
【国際調査報告】
2004007310.tif 000011
2004007310.tif 000012
2004007310.tif 000013
2004007310.tif 000014